(57)【要約】【課題】無線基地局間の同期を適切に確立することを可能とする。【解決手段】従属ＢＳ２は、第２ＲＥＣ２１０内の第１ＭＰ２１１が、第２ＲＥ２２０内の第１ＳＰ２２１及び第２ＳＰ２２２を介して、同期先の主導ＢＳ１の第１ＲＥＣ１１０内の第２ＭＰ１１２に接続されている。従属ＢＳ２は、第２ＲＥＣ２１０内の制御部２１５が、第２ＭＰ１１２と第２ＳＰ２２２との間の伝送遅延時間と、第１ＭＰ２１１と第１ＳＰ２２１との間の伝送遅延時間に基づいて、第２ＲＥＣ２１０の基準フレームのタイミングを補正する。【選択図】図１
2010206737.tif 000002
【特許請求の範囲】
【請求項１】
ベースバンド帯域の信号処理を行う無線制御装置と、無線帯域の信号処理を行う無線装置とを接続して構成される無線基地局であって、
前記無線制御装置は、同期の主導側となるマスタポートを備え、
前記無線装置は、同期の従属側であって、通信可能な第１及び第２のスレーブポートを備え、
前記マスタポートと前記第１のスレーブポートとが接続され、前記第２のスレーブポートが同期先の他の無線基地局の無線制御装置内のマスタポートである第１の他局マスタポートに接続されており、
前記第１の他局マスタポートと前記第２のスレーブポートとの間の伝送遅延時間と、前記マスタポートと前記第１のスレーブポートとの間の伝送遅延時間とに基づいて、前記マスタポートの同期タイミングを補正する補正部を備える無線基地局。
【請求項２】
前記第２のスレーブポートが、前記第１の他局マスタポートに直接に接続されている請求項１に記載の無線基地局。
【請求項３】
前記補正部は、前記第１の他局マスタポートと前記第２のスレーブポートとの間の第１伝送遅延時間と、前記第１のスレーブポートにおける受信タイミングと前記第２のスレーブポートにおける受信タイミングとの時間差とを加算し、前記マスタポートと前記第１のスレーブポートとの間の第２伝送遅延時間を減算することにより、前記第１の他局マスタポートに対する前記マスタポートの補正値を算出し、前記補正値の分だけ前記マスタポートの同期タイミングを移動する請求項２に記載の無線基地局。
【請求項４】
前記第２のスレーブポートが、前記同期先の他の無線基地局の無線装置内のマスタポートである第２の他局マスタポートと、前記同期先の他の無線基地局の無線装置内のスレーブポートである他局スレーブポートとを介して、前記第１の他局マスタポートに接続されている請求項１に記載の無線基地局。
【請求項５】
前記補正部は、前記第２の他局マスタポート及び前記他局スレーブポートを介した前記第１の他局マスタポートと前記第２のスレーブポートとの間の第１伝送遅延時間と、前記第１のスレーブポートにおける受信タイミングと前記第２のスレーブポートにおける受信タイミングとの時間差とを加算し、前記マスタポートと前記第１のスレーブポートとの間の第２伝送遅延時間を減算することにより、前記第１の他局マスタポートに対する前記マスタポートの補正値を算出し、前記補正値の分だけ前記マスタポートの同期タイミングを移動する請求項４に記載の無線基地局。
【請求項６】
前記補正部は、前記第１の他局マスタポートから通知される、前記第１の他局マスタポートの同期タイミングを先頭部とするフレームの識別番号と、補正後の前記マスタポートの同期タイミングを先頭部とするフレームの識別番号とを一致させる請求項１乃至５の何れかに記載の無線基地局。
【請求項７】
無線基地局に構成され、ベースバンド帯域の信号処理を行う無線制御装置であって、
同期の主導側となるマスタポートと、
前記マスタポートの同期タイミングを補正する補正部とを備え、
前記マスタポートが、前記無線基地局に構成された無線装置内における同期の従属側であって通信可能な第１及び第２のスレーブポートのうちの前記第１のスレーブポートと接続され、
前記第２のスレーブポートが、同期先の他の無線基地局の無線制御装置内における同期の主導側のマスタポートである他局マスタポートに接続されており、
前記補正部は、前記第１の他局マスタポートと前記第２のスレーブポートとの間の伝送遅延時間と、前記マスタポートと前記第１のスレーブポートとの間の伝送遅延時間とに基づいて、前記マスタポートの同期タイミングを補正する無線制御装置。
【請求項８】
無線基地局に構成され、無線帯域の信号処理を行う無線装置であって、
同期の従属側であって、通信可能な第１及び第２のスレーブポートを備え、
前記第１のスレーブポートが、無線基地局に構成された無線制御装置内の同期の主導側となるマスタポートと接続され、
前記第２のスレーブポートが、同期先の他の無線基地局の無線制御装置内の同期の主導側のマスタポートである他局マスタポートに接続されている無線装置。
【発明の詳細な説明】
【技術分野】
【０００１】
本発明は、ベースバンド帯域の信号処理を行う無線制御装置と、無線帯域の信号処理を行う無線装置とを接続して構成される無線基地局、当該無線基地局を構成する無線制御装置及び無線装置に関する。
【背景技術】
【０００２】
複数の無線基地局が同期を確立する場合、従来より、以下の３つの手法が知られている。
【０００３】
第１の手法では、各無線基地局がＧＰＳ（Global Positioning System）受信機を搭載する。そして、各無線基地局は、ＧＰＳ衛星からの世界標準時に同期した１秒パルス（1pps）に基づいて、無線基地局間の同期を確立する。
【０００４】
第２の手法では、各無線基地局は、イーサネット（登録商標）等のネットワークを介して接続され、機器間の同期をとるための標準プロトコル（例えばIEEE1588）等を使用して、無線基地局間の同期を確立する。
【０００５】
第３の手法では、各無線基地局を構成する無線制御装置（ＲＥＣ：Radio Equipment Control）を接続し、ＲＥＣ間で同期をとることにより、無線基地局間の同期を確立する（例えば、特許文献１参照）。
【先行技術文献】
【特許文献】
【０００６】
【特許文献１】特表２００７−５２３５７０号公報
【発明の概要】
【発明が解決しようとする課題】
【０００７】
しかしながら上述した第１の手法では、各無線基地局がＧＰＳ受信機を搭載する必要があり、ＧＰＳ受信機のコストと搭載のコストが大きくなる。また、第１の手法は、ＧＰＳ衛星からの信号を受信不能な場所では、採用することができない。
【０００８】
また、第２の手法では、ネットワーク環境によって同期精度が異なる。特にルータやスイッチを経由して無線基地局が接続される場合には、遅延量が大きく、且つ、当該遅延量は随時変動することが多いため、同期精度が悪化する場合がある。
【０００９】
また、一般にＣＰＲＩ（Common Public Radio Interface）等の通信プロトコルを採用する無線通信システムにおいて、無線基地局内のＲＥＣは、制御局であるために、同期の主導側となるマスタポートしか所有していない。このため、第３の手法では、ＲＥＣ間の接続のために、同期の従属側のＲＥＣには、同期の従属側となるスレーブポートが新たに必要である。したがって、既設のＲＥＣには適用しづらいという問題がある。
【００１０】
上記問題点に鑑み、本発明は、無線基地局間の同期を適切に確立することが可能な無線基地局、無線制御装置及び無線装置を提供することを目的とする。
【課題を解決するための手段】
【００１１】
上述した課題を解決するために、本発明は以下のような特徴を有している。まず、本発明の第１の特徴は、ベースバンド帯域の信号処理を行う無線制御装置（第２ＲＥＣ２１０）と、無線帯域の信号処理を行う無線装置（第２ＲＥ２２０）とを接続して構成される無線基地局（従属ＢＳ２）であって、前記無線制御装置は、同期の主導側となるマスタポート（第１ＭＰ２１１）を備え、前記無線装置は、同期の従属側であって、通信可能な第１及び第２のスレーブポート（第１ＳＰ２２１、第２ＳＰ２２２）を備え、前記マスタポートと前記第１のスレーブポートとが接続され、前記第２のスレーブポートが同期先の他の無線基地局（主導ＢＳ１）の無線制御装置（第１ＲＥＣ１１０）内のマスタポートである第１の他局マスタポート（第２ＭＰ１１２）に接続されており、前記第１の他局マスタポートと前記第２のスレーブポートとの間の伝送遅延時間と、前記マスタポートと前記第１のスレーブポートとの間の伝送遅延時間とに基づいて、前記マスタポートの同期タイミングを補正する補正部（制御部２１５）を備えることを要旨とする。
【００１２】
このような無線基地局は、無線制御装置内のマスタポートが、無線装置内の第１及び第２のスレーブポートを介して、同期先の他の無線基地局の無線制御装置内の第１の他局マスタポートに接続されており、前記第１の他局マスタポートと前記第２のスレーブポートとの間の伝送遅延時間と、前記マスタポートと前記第１のスレーブポートとの間の伝送遅延時間とに基づいて、マスタポートの同期タイミングを補正している。
【００１３】
このため、無線基地局は、同期先の他の無線基地局にＧＰＳ受信機等の同期用の信号を受信する装置が搭載されていれば、自無線基地局に同期用の信号を受信する装置が搭載されていなくても、他の無線基地局との間で同期を確立することができる。また、無線装置内にスレーブポート用のインタフェースが少なくとも２つ存在すれば、当該インタフェースに第１及び第２のスレーブポートを設置して、無線制御装置内のマスタポートが、無線装置内の第１及び第２のスレーブポートを介して、同期先の他の無線基地局の無線制御装置内の第１の他局マスタポートに接続することができる。したがって、無線制御装置にマスタポートしか存在しない既存の無線基地局においても、ソフトウェアの変更のみで同期先の無線基地局との間で同期を確立することが可能である。また、無線基地局間がイーサネット（登録商標）等によって接続され、無線基地局間の同期が確立される場合のように、同期精度が悪化することもない。
【００１４】
本発明の第２の特徴は、本発明の第１の特徴に係り、前記第２のスレーブポートが、前記第１の他局マスタポートに直接に接続されていることを要旨とする。
【００１５】
本発明の第３の特徴は、本発明の第２の特徴に係り、前記第１の他局マスタポートと前記第２のスレーブポートとの間の第１伝送遅延時間と、前記第１のスレーブポートにおける受信タイミングと前記第２のスレーブポートにおける受信タイミングとの時間差とを加算し、前記マスタポートと前記第１のスレーブポートとの間の第２伝送遅延時間を減算することにより、前記第１の他局マスタポートに対する前記マスタポートの補正値を算出し、前記補正値の分だけ前記マスタポートの同期タイミングを移動することを要旨とする。
【００１６】
本発明の第４の特徴は、本発明の第１の特徴に係り、前記第２のスレーブポートが、前記同期先の他の無線基地局の無線装置内のマスタポートである第２の他局マスタポート（第１ＭＰ１２２）と、前記同期先の他の無線基地局の無線装置内のスレーブポートである他局スレーブポート（第１ＳＰ１２１）とを介して、前記第１の他局マスタポートに接続されていることを要旨とする。
【００１７】
本発明の第５の特徴は、前記補正部は、前記第２の他局マスタポート及び前記他局スレーブポートを介した前記第１の他局マスタポートと前記第２のスレーブポートとの間の第１伝送遅延時間と、前記第１のスレーブポートにおける受信タイミングと前記第２のスレーブポートにおける受信タイミングとの時間差とを加算し、前記マスタポートと前記第１のスレーブポートとの間の第２伝送遅延時間を減算することにより、前記第１の他局マスタポートに対する前記マスタポートの補正値を算出し、前記補正値の分だけ前記マスタポートの同期タイミングを移動することを要旨とする。
【００１８】
本発明の第６の特徴は、前記補正部は、前記第１の他局マスタポートから通知される、前記第１の他局マスタポートの同期タイミングを先頭部とするフレームの識別番号と、補正後の前記マスタポートの同期タイミングを先頭部とするフレームの識別番号とを一致させることを要旨とする。
【００１９】
本発明の第７の特徴は、無線基地局に構成され、ベースバンド帯域の信号処理を行う無線制御装置であって、同期の主導側となるマスタポートと、前記マスタポートの同期タイミングを補正する補正部とを備え、前記マスタポートが、前記無線基地局に構成された無線装置内における同期の従属側であって通信可能な第１及び第２のスレーブポートのうちの前記第１のスレーブポートと接続され、前記第２のスレーブポートが、同期先の他の無線基地局の無線制御装置内における同期の主導側のマスタポートである他局マスタポートに接続されており、前記補正部は、前記第１の他局マスタポートと前記第２のスレーブポートとの間の伝送遅延時間と、前記マスタポートと前記第１のスレーブポートとの間の伝送遅延時間とに基づいて、前記マスタポートの同期タイミングを補正することを要旨とする。
【００２０】
本発明の第８の特徴は、無線基地局に構成され、無線帯域の信号処理を行う無線装置であって、同期の従属側であって、通信可能な第１及び第２のスレーブポートを備え、前記第１のスレーブポートが、無線基地局に構成された無線制御装置内の同期の主導側となるマスタポートと接続され、前記第２のスレーブポートが、同期先の他の無線基地局の無線制御装置内の同期の主導側のマスタポートである他局マスタポートに接続されていることを要旨とする。
【発明の効果】
【００２１】
本発明によれば、無線基地局間の同期を適切に確立することが可能となる。
【図面の簡単な説明】
【００２２】
【図１】本発明の実施形態に係る無線通信システムの第１の構成図である。
【図２】本発明の実施形態に係る同期確立の動作を示すフローチャートである。
【図３】本発明の実施形態に係るフレームタイミングの補正の動作を示すフローチャートである。
【図４】本発明の実施形態に係るフレーム番号補正の動作を示すフローチャートである。
【図５】本発明の実施形態に係るフレームタイミングの補正の一例を示す図である。
【図６】本発明の実施形態に係るフレーム番号の補正の一例を示す図である。
【図７】本発明の実施形態に係る無線通信システムの第２の構成図である。
【図８】本発明の実施形態に係る無線通信システムの第３の構成図である。
【発明を実施するための形態】
【００２３】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００２４】
（１）無線通信システムの構成
まず、本発明の実施形態に係る無線通信システムの構成を説明する。図１は、本発明の実施形態に係る無線通信システムの第１の構成図である。
【００２５】
図１に示す無線通信システム１０は、ＣＰＲＩの通信プロトコルを採用する無線通信システムである。この無線通信システム１０は、同期の主導側となる主導無線基地局（主導ＢＳ）１と、同期の従属側となる従属無線基地局（従属ＢＳ）２とを含む。
【００２６】
主導ＢＳ１は、第１無線制御装置（第１ＲＥＣ）１１０、第１無線装置（第１ＲＥ）１２０、ＧＰＳ受信機１３０及びアンテナ１４０を含む。
【００２７】
第１ＲＥＣ１１０は、ベースバンド帯域の信号処理を行う。この第１ＲＥＣ１１０は、第１マスタポート（第１ＭＰ）１１１、第２マスタポート（第２ＭＰ）１１２及び制御部１１５を含む。第１ＲＥ１２０は、無線帯域の信号処理を行う。この第１ＲＥ１２０は、第１スレーブポート（第１ＳＰ）１２１及び制御部１２５を含む。
【００２８】
従属ＢＳ２は、第２無線制御装置（第２ＲＥＣ）２１０、第２無線装置（第２ＲＥ）２２０及びアンテナ２４０を含む。
【００２９】
第２ＲＥＣ２１０は、ベースバンド帯域の信号処理を行う。この第２ＲＥＣ２１０は、第１マスタポート（第１ＭＰ）２１１及び制御部２１５を含む。第２ＲＥ２２０は、無線帯域の信号処理を行う。この第２ＲＥ２２０は、第１スレーブポート（第１ＳＰ）２２１、第２スレーブポート（第２ＳＰ）２２２及び制御部２２５を含む。
【００３０】
第１ＲＥＣ１１０内の制御部１１５、第１ＲＥ１２０内の制御部１２５、第２ＲＥＣ２１０内の制御部２１５、及び、第２ＲＥ２２０内の制御部２２５は、それぞれ例えばＣＰＵによって構成され、自装置が具備する各種機能を制御する。
【００３１】
第１ＲＥＣ１１０内の制御部１１５は、ＧＰＳ受信機１３０によって受信された１秒パルスに対応する同期信号を生成する。
【００３２】
第１ＲＥＣ１１０内の第１ＭＰ１１１は、第１ＲＥ１２０内の第１ＳＰ１２１と接続している。第１ＭＰ１１１は、同期信号を第１ＳＰ１２１へ送信する。また、第１ＭＰ１１１は、第１ＳＰ１２１との間でＩＱデータの送信及び受信を行う。更に、第１ＭＰ１１１は、第１ＲＥ１２０を制御するための制御信号を第１ＳＰ１２１へ送信する。
【００３３】
第１ＲＥＣ１１０内の第２ＭＰ１１２は、主導ＢＳ１と従属ＢＳ２との同期を確立するために、第２ＲＥ２２０内の第２ＳＰ２２２と接続している。
【００３４】
第２ＳＰ２２２は、第１ＳＰ２２１と通信可能となっている。第２ＲＥＣ２１０内の第１ＭＰ２１１は、第１ＳＰ２２１と接続している。第１ＭＰ２１１は、同期信号を第１ＳＰ２２１へ送信する。また、第１ＭＰ２１１は、第１ＳＰ２２１との間でＩＱデータの送信及び受信を行う。更に、第１ＭＰ２１１は、第１ＲＥ２２０を制御するための制御信号を第１ＳＰ２２１へ送信する。
【００３５】
ＣＰＲＩは、ＲＥＣとＲＥとの間の通信プロトコルのインタフェースである。ＣＰＲＩが採用されることによって、無線基地局は、ＲＥＣとＲＥとを分離して設置することが可能となる。ＲＥＣとＲＥとを分離することにより、設置の自由度が増し、柔軟なシステム構成が可能となる。例えば、従来のＲＥＣとＲＥとが一体となった無線基地局の設置の困難な場所においては、ＲＥのみが設置して、ＲＥＣが他所に設置されるようにすればよい。また、不感地帯等には、ＲＥのみが設置されるようにすることで、通信不能エリアの解消も容易となる。
【００３６】
（２）無線通信システムの動作
図２は、無線通信システム１０における同期確立の動作を示すフローチャートである。
【００３７】
ステップＳ１０１において、主導ＢＳ１の第１ＲＥＣ１１０内の制御部１１５と第１ＲＥ１２０内の制御部１２５とは、第１ＲＥＣ１１０と第１ＲＥ１２０との間のリンク確立を行う。同様に、従属ＢＳ２の第２ＲＥＣ１１０内の制御部２１５と第２ＲＥ２２０内の制御部２２５とは、第２ＲＥＣ２１０と第２ＲＥ２２０との間のリンク確立を行う。リンク確立においては、周知の手法によって、同期処理、プロトコル設定、Ｃ＆Ｍプレーンの設定、インタフェースとベンダ固有情報のネゴシエーションとが行われる。
【００３８】
リンク確立での同期処理においては、第１ＲＥＣ１１０と第１ＲＥ１２０との間、第２ＲＥＣ１１０と第２ＲＥ２２０の間では、それぞれ既知の同期確立信号（例えばK28.5等）が伝送されることによって、ＣＰＲＩフレーム構成が確立される。既知の同期確立信号から同期ビットの調整とハイパーフレームの調整とが行われることによって基本フレームの先頭が判別され、更に制御信号からハイパーフレームとノードＢフレームのフレーム構成が判別される。
【００３９】
ステップＳ１０２において、主導ＢＳ１の第１ＲＥＣ１１０内の制御部１１５は、周知の手法により、第１ＲＥＣ１１０内の第１ＭＰ１１１と第１ＲＥ１２０内の第１ＳＰ１２１との間の伝送遅延時間を測定する。また、第１ＲＥＣ１１０内の制御部１１５は、周知の手法により、第１ＲＥＣ１１０内の第２ＭＰ１１２と第２ＲＥ２２０内の第２ＳＰ２２２との間の伝送遅延時間を測定する。更に、従属ＢＳ２の第２ＲＥＣ１１０内の制御部２１５は、周知の手法により、第２ＲＥＣ２１０内の第１ＭＰ２１１と第２ＲＥ２２０内の第１ＳＰ２２１との間の伝送遅延時間を測定する。
【００４０】
ここで、図５（ａ）に示すように、第１ＲＥ１２０内の第１ＳＰ１２１における基準フレームのタイミングは、第１ＲＥＣ１１０内の第１ＭＰ１１１における基準フレームのタイミングに対して、伝送遅延時間Td11だけ遅れている。また、第２ＲＥ２２０内の第２ＳＰ２２２における基準フレームのタイミングは、第１ＲＥＣ１１０内の第２ＭＰ１１２における基準フレームのタイミングに対して、伝送遅延時間Td12だけ遅れている。なお、Td11及びTd12には、第１ＲＥＣ１１０、第１ＲＥ１２０及び第２ＲＥ２２０におけるハードウェア処理遅延量やケーブル遅延量が含まれている。
【００４１】
また、図５（ｂ）に示すように、第２ＲＥ２２０内の第１ＳＰ２２１における基準フレームのタイミングは、第２ＲＥＣ２１０内の第１ＭＰ２１１における基準フレームのタイミングに対して、伝送遅延時間Td22だけ遅れている。
【００４２】
この時点において、第１ＲＥＣ１１０内の第１ＭＰ１１１と第１ＲＥ１２０内の第１ＳＰ１２１との間、第１ＲＥＣ１１０内の第２ＭＰ１１２と第２ＲＥ２２０内の第２ＳＰ２２２との間、第２ＲＥＣ２１０内の第１ＭＰ２１１と第２ＲＥ２２０内の第２ＳＰ２２１との間は、それぞれ同期情報を共有することによって同期が確立している。
【００４３】
しかし、第２ＲＥ２２０内の第１ＳＰ２２１と第２ＳＰ２２２との間の同期は確立していない。また、第１ＲＥＣ２１０及び第２ＲＥ２２０は、第１ＲＥＣ１１０の第２ＭＰ１１２における基準フレームのタイミングを認識していない。このため、主導ＢＳ１と従属ＢＳ２とは非同期である。
【００４４】
そこで、主導ＢＳ１と従属ＢＳ２との同期確立が行われる。ステップＳ１０３において、第２ＲＥＣ２１０内の制御部２１５、及び、第２ＲＥ２２０内の制御部２２５は、同期処理が可能であるか否かを判定する。例えば、第１ＲＥＣ１１０と第２ＲＥＣ２１０の間、または、第１ＲＥ１２０と第２ＲＥ２２０との間で、制御信号の空きフレームやＩＱデータ用の空きコンテナ等を用いて、同期処理が可能であるか否かを判定可能である。
【００４５】
同期処理が可能でない場合には、ステップＳ１０９において、主導ＢＳ１及び従属ＢＳ２の動作が開始される。
【００４６】
同期処理が可能である場合、ステップＳ１０４において、従属ＢＳ２は、フレームタイミングを補正する。
【００４７】
図３は、従属ＢＳ２におけるフレームタイミング補正の動作を示すフローチャートである。
【００４８】
ステップＳ２０１において、第２ＲＥ２２０内の制御部２２５は、第１ＲＥＣ１１０からのフレームの第２ＳＰ２２２における受信タイミングと、第２ＲＥＣ２１０からのフレームの第１ＳＰ２２１における受信タイミングとの時間差を測定する。図５（ｃ）では、第２ＲＥ２２０内の第２ＳＰ２２２は、第１ＲＥＣ１１０からのフレーム信号F12を受信し、第２ＲＥ２２０内の第１ＳＰ２２１は、第２ＲＥＣ２１０からのフレーム信号F22を受信している。したがって、第２ＲＥ２２０内の制御部２２５は、フレーム信号F12における任意のフレーム番号（ここではBFN55）を有するフレームの先頭から、当該先頭より後ろのフレーム信号F22における任意のフレーム番号（ここではBFN217）を有するフレームの先頭までの時間差T12を測定することができる。
【００４９】
ステップＳ２０２において、第１ＲＥＣ１１０内の制御部１１５は、第２ＲＥ２２０へ制御信号の空きフレームやＩＱデータ用の空きコンテナ等を用いて、Td12を送信する。第２ＲＥ２２０内の制御部２２５は、Td12を受信する。
【００５０】
ステップＳ２０３において、第２ＲＥ２２０内の制御部２２５は、第１ＲＥＣ１１０へ制御信号の空きフレームやＩＱデータ用の空きコンテナ等を用いて、測定したT12と受信したTd12とを送信する。第２ＲＥＣ２１０内の制御部２１５は、T12とTd12とを受信する。
【００５１】
ステップＳ２０４において、第２ＲＥＣ２１０内の制御部２１５は、受信したT12及びTd12と、測定したTd22に基づいて、第１ＲＥＣ１１０の基準フレームのタイミングに対する、第２ＲＥＣ２１０の基準フレームのタイミングの差である補正値Tc12を算出する。ここでは、補正値Tc12は、Tc12＝Td12＋T12−Td22により算出される。
【００５２】
ステップＳ２０５において、第２ＲＥＣ２１０内の制御部２１５は、図５（ｄ）に示すように、第２ＲＥＣ２１０の基準フレームのタイミング（第１ＭＰ２１１の同期タイミング）を、補正値Tc12の分だけ前方に移動させる。これにより、主導ＢＳ１と従属ＢＳ２との間の同期が確立される。
【００５３】
なお、第２ＲＥ２２０内の制御部２２５が、補正値を算出してもよい。また、Tc12がフレーム長の半分以上の時間である場合は、第２ＲＥ２２０内の制御部２２５は、フレーム信号F12における任意のフレーム番号を有するフレームの先頭から、当該先頭より前のフレーム信号F22における任意のフレーム番号を有するフレームの先頭までの時間差T12を測定してもよい。
【００５４】
その後、ステップＳ１０５において、第２ＲＥＣ２１０内の制御部２１５は、フレーム番号の同期が必要であるか否かを判定する。例えば、第１ＲＥＣ１１０と第２ＲＥＣ２１０の間、または、第１ＲＥ１２０と第２ＲＥ２２０との間で、制御信号の空きフレームやＩＱデータ用の空きコンテナ等を用いてフレーム番号をやりとりし、フレーム番号の同期が必要であるか否かを判定可能である。
【００５５】
フレーム番号の同期が必要な無線通信システムとして、ＬＴＥ（Long Term Evolution）のＭＢＭＳ (Multimedia Broadcast Multicast Services)等がある。ＭＢＭＳでは無線端末であるＵＥ（User Equipment）は、各無線基地局からの信号を合成する。このため、フレームタイミングの同期とフレーム番号の同期とが行われる必要がある。
【００５６】
次に、ステップＳ１０６において、第２ＲＥＣ２１０内の制御部２１５は、第１ＲＥＣ１１０の基準フレームと、第２ＲＥＣ２１０の基準フレームとの番号が不一致であるか否かを判定する。
【００５７】
第１ＲＥＣ１１０の基準フレームと、第２ＲＥＣ２１０の基準フレームとの番号が不一致である場合、ステップＳ１０７において、第２ＲＥＣ２１０内の制御部２１５及び第２ＲＥ２２０内の制御部２２５は、フレーム番号を補正する。
【００５８】
図４は、従属ＢＳ２におけるフレーム番号補正の動作を示すフローチャートである。
【００５９】
ステップＳ３０１において、第２ＲＥ２２０内の制御部２２５は、第１ＲＥＣ１１０の基準フレームと、第２ＲＥＣ２１０の基準フレームとの番号の差を算出する。ステップＳ３０２において、第２ＲＥ２２０内の制御部２２５は、第２ＲＥＣ２１０内の制御部２１５へフレーム番号の差を送信する。ここで、第２ＲＥ２２０内の制御部２２５は、制御信号の空きフレームやＩＱデータ用の空きコンテナ等を用いて、フレーム番号の差を送信することができる。
【００６０】
ステップＳ３０３において、第２ＲＥＣ２１０内の制御部２１５は、受信したフレーム番号の差に基づいて、第２ＲＥＣ２１０の基準フレームの番号を補正する。図６（ａ）に示すように、第１ＲＥＣ１１０の基準フレームの番号BFN55と、第２ＲＥＣ２１０の基準フレームの番号BFN217は異なっている。この場合、図６（ｂ）に示すように、第２ＲＥＣ２１０の基準フレームの番号BFN217は、BFN55に補正される。これにより、主導ＢＳ１と従属ＢＳ２とは、フレームタイミングとフレーム番号とが同期したことになる。
【００６１】
ステップＳ１０７におけるフレーム番号の補正後、ステップＳ１０５においてフレーム番号の同期が不要であると判断された場合、あるいは、ステップＳ１０６においてフレーム番号が不一致でないと判断された場合、ステップＳ１０８において、主導ＢＳ１の第１ＲＥＣ１１０内の制御部１１５と第１ＲＥ１２０内の制御部１２５とは、リンク再確立を行う。同様に、従属ＢＳ２の第２ＲＥＣ１１０内の制御部２１５と第２ＲＥ２２０内の制御部２２５とは、リンク再確立を行う。
【００６２】
（３）作用・効果
無線通信システム１０では、従属ＢＳ２は、第２ＲＥＣ２１０内の第１ＭＰ２１１が、第２ＲＥ２２０内の第１ＳＰ２２１及び第２ＳＰ２２２を介して、同期先の主導ＢＳ１の第１ＲＥＣ１１０内の第２ＭＰ１１２に接続されている。そして、従属ＢＳ２は、第２ＲＥＣ２１０内の制御部２１５が、第２ＭＰ１１２と第２ＳＰ２２２との間の伝送遅延時間と、第１ＭＰ２１１と第１ＳＰ２２１との間の伝送遅延時間に基づいて、第２ＲＥＣ２１０の基準フレームのタイミング（第１ＭＰ２１１の同期タイミング）を補正している。
【００６３】
従属ＢＳ２は、主導ＢＳ１に搭載されているＧＰＳ受信機１３０が搭載されているため、ＧＰＳ受信機が搭載されていなくても、従属ＢＳ２との間で同期を確立することができる。また、第２ＲＥ２２０内に２つのスレーブポートである第１ＳＰ２２１及び第２ＳＰ２２２が設置されているため、第２ＲＥＣ２１０内の第１ＭＰ２１１が、第２ＲＥ２２０内の第１ＳＰ２２１及び第２ＳＰ２２２を介して、同期先の主導ＢＳ１の第１ＲＥＣ１１０内の第２ＭＰ１１２に接続することができる。したがって、従属ＢＳ２が、第２ＲＥＣ２１０にマスタポートしか存在しない既存の無線基地局である場合においても、ソフトウェアの変更のみで主導ＢＳ１との間で同期を確立することが可能である。また、無線基地局間がイーサネット（登録商標）等によって接続され、無線基地局間の同期が確立される場合のように、同期精度が悪化することもない。
【００６４】
（４）その他の実施形態
図７は、本発明の実施形態に係る無線通信システムの第２の構成図である。図７に示す無線通信システム１０は、図１に示す無線通信システム１０と比較すると、主導ＢＳ１の第１ＲＥ１２０内に第１マスタポート（第１ＭＰ）１２２が新たに設置されている。この第１ＭＰ１２２は、第１ＳＰ１２１と通信可能となっている。また、第１ＭＰ１２２は、従属ＢＳ２の第２ＲＥ２２０内の第２ＳＰ２２２に接続されている。
【００６５】
主導ＢＳ１と従属ＢＳ２との同期が確立される場合、第２ＲＥＣ２１０内の制御部２１５は、第１ＭＰ１１１と第２ＳＰ２２２との間の伝送遅延時間と、第２ＳＰ２２２における第１ＭＰ１１１からの第１ＳＰ１２１及び第１ＭＰ１２２を介したフレームの受信タイミングと、第１ＳＰ２２１における第１ＭＰ２１１からのフレームの受信タイミングとの時間差とを加算し、第１ＭＰ２１１と第１ＳＰ２２１との間の伝送遅延時間を減算することで補正値を算出する。
【００６６】
更に、第２ＲＥＣ２１０内の制御部２１５は、第２ＲＥＣ２１０の基準フレームのタイミング（第１ＭＰ２１１の同期タイミング）を、補正値の分だけだけ前方に移動させる。これにより、主導ＢＳ１と従属ＢＳ２との間の同期が確立される。
【００６７】
図８は、本発明の実施形態に係る無線通信システムの第３の構成図である。図８に示す無線通信システムは、図１に示す無線通信システム１０と図７に示す無線通信システムとを組み合わせた構成である。
【００６８】
主導ＢＳは、主導ＢＳＲＥＣ５００、主導ＢＳ第１ＲＥ５１１、主導ＢＳ第２ＲＥ５１２、主導ＢＳ第３ＲＥ５１３、主導ＢＳ第４ＲＥ５１４及びＧＰＳ受信機５２０を含む。主導ＢＳ第１ＲＥ５１１、主導ＢＳ第２ＲＥ５１２、主導ＢＳ第３ＲＥ５１３は、それぞれ主導ＢＳＲＥＣ５００に接続されている。主導ＢＳ第４ＲＥ５１４は、主導ＢＳ第３ＲＥ５１３に接続されている。
【００６９】
第１の従属ＢＳ（従属第１ＢＳ）は、従属第１ＢＳＲＥＣ６００、従属第１ＢＳ第１ＲＥ６１１、従属第１ＢＳ第２ＲＥ６１２及び従属第１ＢＳ第３ＲＥ６１３を含む。従属第１ＢＳ第１ＲＥ６１１、従属第１ＢＳ第２ＲＥ６１２及び従属第１ＢＳ第３ＲＥ６１３は、それぞれ従属第１ＢＳＲＥＣ６００に接続されている。また、従属第１ＢＳ第１ＲＥ６１１は、主導ＢＳ第２ＲＥ５１２に接続されている。
【００７０】
第２の従属ＢＳ（従属第２ＢＳ）は、従属第２ＢＳＲＥＣ７００、従属第２ＢＳ第１ＲＥ７１１、従属第２ＢＳ第２ＲＥ７１２及び従属第２ＢＳ第３ＲＥ７１３を含む。従属第２ＢＳ第１ＲＥ７１１、従属第２ＢＳ第２ＲＥ７１２及び従属第２ＢＳ第３ＲＥ７１３は、それぞれ従属第２ＢＳＲＥＣ７００に接続されている。また、従属第２ＢＳ第２ＲＥ７１２は、主導ＢＳ第４ＲＥ５１４に接続されている。
【００７１】
第３の従属ＢＳ（従属第３ＢＳ）は、従属第３ＢＳＲＥＣ８００、従属第３ＢＳ第１ＲＥ８１１、従属第３ＢＳ第２ＲＥ８１２及び従属第３ＢＳ第３ＲＥ８１３を含む。従属第３ＢＳ第１ＲＥ８１１、従属第３ＢＳ第２ＲＥ８１２及び従属第３ＢＳ第３ＲＥ８１３は、それぞれ従属第３ＢＳＲＥＣ８００に接続されている。また、従属第３ＢＳ第１ＲＥ８１１は、従属第２ＢＳＲＥＣ７００に接続されている。
【００７２】
このような接続形態により、主導ＢＳと、従属第１ＢＳ、従属第２ＢＳ及び従属第３ＢＳとは、同期を確立することができ、また、フレーム番号の同期を確立することもできる。
【００７３】
また、上述した実施形態では、主導ＢＳ１と従属ＢＳ２との間でフレーム番号の同期が確立されたが、フレーム番号は上位のネットワークからのフレーム番号に同期する場合もある。この場合には、主導ＢＳ１と従属ＢＳ２との間でフレーム番号の同期確立は行われない。また、主導ＢＳ１におけるフレーム番号を基準とし、従属ＢＳ２内の第２ＲＥＣ２１０に上位ネットワークを介して接続されているネットワーク側の制御局が、従属ＢＳ２におけるフレーム番号を、主導ＢＳ１におけるフレーム番号に同期させるようにしてもよい。
【００７４】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００７５】
本発明の無線基地局、無線制御装置及び無線装置は、無線基地局間の同期を適切に確立することが可能であり、無線基地局等として有用である。
【符号の説明】
【００７６】
１…主導無線基地局、２…従属無線基地局、１１０…第１無線制御装置、１１１…第１マスタポート、１１２…第２マスタポート、１１５…制御部、１２０…第１無線装置、１２１…第１スレーブポート、１２５…制御部、１４０…アンテナ、２１０…第２無線制御装置、２１１…第１マスタポート、２１５…制御部、２２０…第２無線装置、２２１…第１スレーブポート、２２２…第２スレーブポート、２２５…制御部、２４０…アンテナ
【図１】
2010206737.tif 000003
【図２】
2010206737.tif 000004
【図３】
2010206737.tif 000005
【図４】
2010206737.tif 000006
【図５】
2010206737.tif 000007
【図６】
2010206737.tif 000008
【図７】
2010206737.tif 000009
【図８】
2010206737.tif 000010